(57)【要約】【課題】フィルタの清掃、交換等においてフィルタの着脱作業を行い易くする天井埋込型空気調和機を提供する。【解決手段】天井内に埋設される本体２の下端に、吹出口６と吸込口５とを有するグリル枠３を設け、このグリル枠３の吸込口５には吸込グリル４を設け、この吸込グリル４には吸込空気を清浄化するためのプレフィルタ８を着脱可能に設置し、前記吸込グリル４とプレフィルタ８とが一体的にフィルタ交換位置まで下降可能に構成された昇降装置１２を備えた天井埋込型空気調和機において、前記吸込グリル４に空気清浄フィルタ９を収納する空清フィルタ枠２３を設け、この空清フィルタ枠２３は吸込グリル４と一体に昇降される。【選択図】      図２
2004354011.tif 000002
【特許請求の範囲】
【請求項１】
天井内に埋設される本体の下端に、吹出口と吸込口とを有するグリル枠を設け、このグリル枠の吸込口には吸込グリルを設け、この吸込グリルには吸込空気を清浄化するためのプレフィルタを着脱可能に設置し、前記吸込グリルとプレフィルタとが一体的にフィルタ交換位置まで下降可能に構成された昇降装置を備えた天井埋込型空気調和機において、
前記吸込グリルに空気清浄フィルタを収納する空清フィルタ枠を設け、この空清フィルタ枠は吸込グリルと一体に昇降されることを特徴とする天井埋込型空気調和機。
【請求項２】
前記吸込グリルにはプレフィルタを上部から押える蓋部を設け、この蓋部に空清フィルタ枠を脱着自在に取り付けたことを特徴とする請求項１記載の天井埋込型空気調和機。
【請求項３】
前記本体内には山形に配設される熱交換器を備え、前記空清フィルタ枠は吸込グリルの上部に山形に載置されると共に、熱交換器の吸込面に対面し、かつ間隔をあけて配設されることを特徴とする請求項１または２記載の天井埋込型空気調和機。
【発明の詳細な説明】
【０００１】
【発明の属する技術分野】
本発明は、プレフィルタと空気清浄フィルタを備えた天井埋込型空気調和機に関する。
【０００２】
【従来の技術】
天井内に埋設される空気調和機本体と、この本体の下端に取り付けられ吹出口及び吸込口を有するグリル枠と、このグリル枠の吸込口の開口部にプレフィルタを支持する吸込グリルと、本体内に設けられる空気清浄フィルタとを備えた天井埋込型空気調和機が知られている。
【０００３】
この天井埋込型空気調和機は、吸込グリルの一端が本体に回動自在に取り付けられると共に他端が固定されており、この固定部を外すことにより吸込口の開口部が開放されるようになっている。そして、前記フィルタ類を掃除または交換するときには、踏台に上がって吸込グリルの固定部を外して吸込口の開口部を開き、フィルタ類を本体から外して行っていた（例えば、特許文献１参照）。
【０００４】
また、天井埋込型空気調和機にはプレフィルタを付設した吸込グリルの昇降装置を備え、プレフィルタを交換するときには吸込グリル降下させて、このプレフィルタを低所で交換できるようにしたものが知られている（例えば、特許文献２参照）。
【０００５】
【特許文献１】
特許第３０４３１１３号公報
【特許文献２】
特開２００２−３４９８９３号公報
【０００６】
【発明が解決しようとする課題】
ところで、従来の構成では、空気清浄フィルタは本体内部に取り付けられているため、空気清浄フィルタを交換または清掃するときには、高い位置で本体から空気清浄フィルタを着脱しなければならず、ユーザーにとって煩わしいものになっていた。そのため、空気清浄フィルタを一度取り付けると、そのままメンテナンスされずに放置されるので、空気清浄フィルタが目詰まりを起こして空調能力の低下を招くという問題があった。
【０００７】
本発明の目的は、上述した従来の技術が有する課題を解消し、フィルタの清掃、交換等においてフィルタの着脱作業を行い易くする天井埋込型空気調和機を提供することにある。
【０００８】
【課題を解決するための手段】
上記目的を達成するために、請求項１に記載の発明は、天井内に埋設される本体の下端に、吹出口と吸込口とを有するグリル枠を設け、このグリル枠の吸込口には吸込グリルを設け、この吸込グリルには吸込空気を清浄化するためのプレフィルタを着脱可能に設置し、前記吸込グリルとプレフィルタとが一体的にフィルタ交換位置まで下降可能に構成された昇降装置を備えた天井埋込型空気調和機において、前記吸込グリルに空気清浄フィルタを収納する空清フィルタ枠を設け、この空清フィルタ枠は吸込グリルと一体に昇降されることを特徴とする。
【０００９】
請求項２に記載の発明は、請求項１記載の天井埋込型空気調和機において、前記吸込グリルにはプレフィルタを上部から押える蓋部を設け、この蓋部に空清フィルタ枠を脱着自在に取り付けたことを特徴とする。
【００１０】
請求項３に記載の発明は、請求項１または２記載の天井埋込型空気調和機において、前記本体内には山形に配設される熱交換器を備え、前記空清フィルタ枠は吸込グリルの上部に山形に載置されると共に、熱交換器の吸込面に対面し、かつ間隔をあけて配設されることを特徴とする。
【００１１】
【発明の実施の形態】
以下、本発明の実施の形態を、図面に基づき説明する。図１は本発明に係る天井埋込型空気調和機の一実施形態を示す斜視図、図２はグリル枠及び吸込グリルの分解斜視図である。
【００１２】
図１において、符号１は天井埋込型空気調和機の室内機であり、この室内機１は本体２とグリル枠３と吸込グリル４とを有しており、本体２は天井板Ｔの開口部に装着され、建物から垂下した４本の吊りボルトａに吊下げ具ｂが固定されて天井空間に吊下げられている。
【００１３】
図１、図２において、前記グリル枠３は、中央に吸込口５とこの吸込口５の両端部に吹出口６とを有し、本体２の底面に対して取り外し自在に設けられ、吸込口５には複数の通気孔を有する吸込グリル４が取り付けられ、吹出口６には吹出方向を設定する風向調節器７が設けられている。
【００１４】
前記グリル枠３の吸込口５には、吸込グリル４を昇降するための昇降装置１２が設けられている。この昇降装置１２は、機械部１３及び制御部１４を有して構成されており、機械部１３は、グリル枠３の両短辺に設置され、吸込口５を挟んで対面するように平行に配置されている。これら機械部１３の内部には、図示しないローラを各々２個ずつ有し、ローラは図示しないシャフトの両端部に連結され、このシャフトは、図示しないギヤを介して、モータの出力軸に連結されている。機械部１３の各ローラには、吊りひも１５の一端がそれぞれ止着され、これら吊りひも１５、１５・・の他端が前記吸込グリル４の四隅にそれぞれ止着されている。
【００１５】
そして、これら機械部１３の各モータが回転すると、シャフトにローラが連結されているので、ローラに動力が伝達され、ローラはこのシャフトと一体に回転して、それぞれの吊りひも１５は繰り出し／巻き取りされる。
【００１６】
前記制御部１４は、制御部１４と無線状態で通信されるリモコン１６によりグリル昇降運転を選択した時に、前記モータを制御する。グリル昇降運転は吸込グリル４の上昇運転と下降運転とを有している。
【００１７】
図３は吸込グリル４の側面図、図４は吸込グリル４の上面図であり、吸込グリル４にはプレフィルタ８及び空気清浄フィルタ（以下空清フィルタという）９を設けている。
【００１８】
図２〜図４において、前記吸込グリル４の上面には、複数の係止部１７、１７・・と、これら係止部１７、１７・・に着脱自在に係止され複数の桟を有する長方形状の蓋部１８とが設けられ、蓋部１８は周縁を係止部１７、１７・・に係止される。係止部１７及び蓋部１８は弾力性のある合成樹脂で作られているので、係止部１７に対し蓋部１８を脱着するときは、蓋部１８を撓ませることにより脱着が可能になる。吸込グリル４の上面と蓋部１８との間にはプレフィルタ８が挟持され収納されている。
【００１９】
また、前記蓋部１８の上面の６ヵ所にはＬ形の脚取付部２２が形成され、この脚取付部２２に空清フィルタ枠２３が着脱自在に固定される。この空清フィルタ枠２３は２組の長方形状の主枠２４とこの主枠２４に取り付けられる補助枠２５とからなり、主枠２４と補助枠２５の中に空清フィルタ９が収納される。
【００２０】
主枠２４の上部は連結されて２組の主枠２４が山形に形成されている。主枠２４の下隅には下方に延出して４本の脚部２６が形成されている。この脚部２６の先端２６ａは、吸込グリル４の長辺方向に延出しコの字状に形成されており、この先端２６ａが前記蓋部１８の脚取付部２２を挟むように挿入され空清フィルタ枠２３を蓋部１８に固定することができる。主枠２４は弾力性のある合成樹脂製で作られているので、山形を形成する角度を少し小さく変形させることにより、脚部２６を脚取付部２２に挿入できるようになっている。
【００２１】
補助枠２５には、主枠２４に引掛かる引掛片２７と、空清フィルタ９を押える格子２８とが設けられている。主枠２４と補助枠２５とは合成樹脂で形成されており、主枠２４と補助枠２５には手の力で容易に変形するような弾力性がある。
【００２２】
このように構成された空気調和機において、空清フィルタ９、プレフィルタ８を吸込グリル４から脱着する場合には、まず、リモコン１６に設けられたグリル昇降運転スイッチを操作する。すると、昇降装置１２が作動し吸込グリル４が下降し、吸込グリル４が所定の位置で停止する。
【００２３】
次に、空清フィルタ枠２３の上部の角度を小さくし、脚部２６の先端を蓋部１８から外す。これにより空清フィルタ枠２３を吸込グリル４から外すことができる。外した空清フィルタ枠２３の主枠２４から補助枠２５を外すことにより、中から空清フィルタ９を取り出すことができる。
【００２４】
次に、吸込グリル４の係止部１７から蓋部１８を外すことにより、中からプレフィルタ８を取り出すことができる。
【００２５】
また、プレフィルタ８及び空清フィルタ９を収納するときには上述の逆の手順で作業を行なうことによりこれらフィルタ類８、９を収納するすることができる。このようにしてフィルタ類８、９の脱着を低所で行うことができる。
【００２６】
図５は図１に示す天井埋込型空気調和機の短辺方向から見た断面図である。
【００２７】
図５において、本体２内には、送風装置であるクロスフローファン３１、熱交換器３２、運転を制御する電装箱（図示せず）等が収納されている。
【００２８】
前記熱交換器３２は２つのブロックが山形に構成され、かつ紙面を前後方向に延在し、それぞれのブロックは吸込側を斜め下方に面するように設けられている。熱交換器３２の吸込側の下方には吸込面に向かい合うように補助ドレンパン３３が設けられ、熱交換器３２の下縁部の下方にはドレンパン（図示せず）が配設されている。
【００２９】
また、熱交換器３２の吸込面から少し離れて対面するように前記空清フィルタ９が設けられ、熱交換器３２の吹出側には熱交換器３２に併設したクロスフローファン３１がそれぞれ配置されている。
【００３０】
そして、クロスフローファン３１が運転されることにより、吸込口５から吸入された室内の空気は、破線矢印で示すように、プレフィルタ８、空清フィルタ９を通して熱交換器３２に送られて、そこで熱交換された後、吹出口６から室内に吹き出される。
【００３１】
以上説明したように、本空気調和機の室内機１は、吸込グリル４にプレフィルタ８及び空清フィルタ９を備え、吸込グリル４が昇降自在に本体２に取り付けられているので、これらフィルタ類８、９を脱着するときには、低所で作業を行うことができ、フィルタ８、９の清掃、交換等のメンテナンス作業を容易に行うことができる。メンテナンスを容易にすることによりフィルタ８、９の目詰まりによる通風抵抗の低下を防ぐことができる。
【００３２】
また、空清フィルタ９は熱交換器３２の吸込面に対面し、かつ熱交換器３２から少し距離をおいて配設されるので、空清フィルタ９通風抵抗を低く抑えることができる。
【００３３】
以上、本発明の具体的な実施形態について説明したが、本発明は上述した実施形態に限定されるものではなく、本発明の要旨を逸脱しない範囲で種々の変形が可能である。
【００３４】
【発明の効果】
以上説明したように、本発明の天井埋込型空気調和機は、吸込グリルと一体にプレフィルタ枠及び空清フィルタ枠を設け、吸込グリルが昇降装置により昇降自在に本体に取り付けられているので、これらフィルタ類を脱着するときには、低所でフィルタ類の脱着作業を行うことができ、フィルタの清掃、交換等のメンテナンス作業を容易に行うことができる。
【００３５】
また、空清フィルタは熱交換器の吸込面に対面し、かつ熱交換器から少し距離をおいて配設されるので、熱交換器を通過する空気中の細かい塵埃を効率良く捉えると共に、通風抵抗を低く抑えることができる。
【図面の簡単な説明】
【図１】本発明に係る天井埋込型空気調和機の一実施形態を示す斜視図である。
【図２】図１に示す天井埋込型空気調和機のグリル枠及び吸込グリルの分解斜視図である。
【図３】吸込グリルの側面図である。
【図４】吸込グリルの上面図である。
【図５】図１に示す天井埋込型空気調和機の短辺方向から見た断面図である。
【符号の説明】
１  室内機
２    本体
３  グリル枠
４  吸込グリル
５  吸込口
６    吹出口
８  プレフィルタ
９  空気清浄フィルタ
１２    昇降機構
１５    吊りひも
１７  係止部
１８  蓋部
２２  脚取付部
２３  空清フィルタ枠
２６  脚部
３１  クロスフローファン
３２  熱交換器
【図１】
2004354011.tif 000003
【図２】
2004354011.tif 000004
【図３】
2004354011.tif 000005
【図４】
2004354011.tif 000006
【図５】
2004354011.tif 000007